(57)【要約】【目的】防眩性を高くするとともに、良好な視界及び広い視野を確保する。【構成】レンズ１を上下、左右共に前方へ凸に湾曲する３次元曲面をなすとともに、左眼部４と右眼部５が連続する一体物として形成する。レンズ１の表面を上下方向へ３つの帯域に区分し、そのうちの上部帯１３と下部帯１４にミラーコートを施し、中央帯１５はその中央に向かって次第に透光率が大となるように上部帯１３と下部帯１４からグラデーション変化させる。中央帯１５は左右へ連続し、その下方に鼻当てパッド３を位置させ、鼻当てパッド３による分断を避けるとともに、左右方向の外端部はフレーム取付部８及び延長部９まで形成する。フレーム取付部８よりもさらに左右へ延長した部分を設け、その下部は略三角形状の突出部１０として、顔面の側方におけるこめかみ部分まで回り込ませる。【選択図】図２
2004053926.tif 000002
【特許請求の範囲】
【請求項１】
ミラーコートを施したレンズと、レンズの左右方向両端部にそれぞれ一端を取付けた一対のフレームとを備えるサングラスにおいて、
前記レンズは左眼部と右眼部とを連続して一体に形成され、かつ表面上下方向に上部帯，中央帯及び下部帯が設けられ、上部帯と下部帯はそれぞれミラーコートを施され、中央帯は上下方向中央部が最も透光率の高くなるようにグラデーションが施されかつレンズの左右両端部を結んで左右方向へ連続していることを特徴とするサングラス。
【請求項２】
前記レンズは上下、左右方向へそれぞれ前方へ凸に湾曲する曲面に形成され、その左右両端部は顔側面まで回り込み、目尻近傍のフレーム取付部及びこのフレーム取付部よりさらに延出して目尻後方における顔側面の窪んだ部分を覆う延長部が設けられ、前記中央帯の左右方向両端部を前記フレーム取付部及び延長部まで延長形成したことを特徴とする請求項１のサングラス。
【請求項３】
前記レンズ中央に取付ける鼻当てパッドを前記中央帯より下方に位置させたことを特徴とする請求項１のサングラス。
【請求項４】
前記延長部は、前記フレーム取付部よりも左右方向へ延出して形成され、かつ前記フレーム取付部より下方に略三角形状の突出部を形成することを特徴とする請求項２のサングラス。
【請求項５】
前記略三角形状の突出部が前記下部帯の一部をなすことを特徴とする請求項４のサングラス。
【発明の詳細な説明】
【０００１】
【発明の属する技術分野】
本願は、レンズ表面にミラーコートを施したサングラスに係り、特に防眩性に優れ、かつ良好な視界と広い視野を確保でき、そのうえ自動２輪車搭乗時等においてヘルメットの下に装着するときなどにも好適なものに関する。
なお本願において、サングラスの上下左右とは、装着した使用状態を規準にするものとする。
【０００２】
【従来の技術】
レンズ表面を上下方向に上部帯，中央帯及び下部帯と区分し、上部帯と下部帯に着色し、中央帯を透明にして防眩性と視界の確保を両立させたサングラスは公知である（例えば、実開昭５９−１９４７３１，実開平６−２８８３３号参照）。これらはレンズが左右に分離され、それぞれがフレームの枠部に囲まれている構造になっている。
また、レンズを左右分離せず一枚物として形成し、その上部に防眩用のミラーコートを施し、下方へ向かってグラデーションをかけて次第に透光率を高くするようにしたサングラスも公知である。
【０００３】
【発明が解決しようとする課題】
従来のサングラスのうち、レンズが左右に分離されているものは、左右各レンズの左右方向における内端部（鼻に近い方の端部）及び外端部（側側面側の端部）のそれぞれが眼に入り、フレームの枠部がある場合にはこれも一緒に見えるので、違和感のある視界となり、視野が狭くなる。また、上部帯，中央帯及び下部帯の境界を明瞭にすると、これらの境界部により違和感のある視界となる。
【０００４】
一方、グラデーションをかければ、このような境界における違和感が無くなるが、透明部の左右方向中央部は鼻掛け用の凹部で左右に分離されるため、やはりこの分断部において違和感のある視界となる。しかもレンズ周囲の上下・左右から入る光により、前方視界が遮られ実質的な視野が狭くなる。
そこで本願は、サングラスにおける防眩性を高めるとともに、良好な視界及び広い視野を確保することを目的とする。
【０００５】
【課題を解決するための手段】
上記課題を解決するため本願のサングラスに係る請求項１は、ミラーコートを施したレンズと、レンズの左右方向両端部にそれぞれ一端を取付けた一対のフレームとを備えるサングラスにおいて、
前記レンズは左眼部と右眼部とを連続して一体に形成され、かつ表面上下方向に上部帯，中央帯及び下部帯が設けられ、上部帯と下部帯はそれぞれミラーコートを施され、中央帯は上下方向中央部が最も透光率の高くなるようにグラデーションが施されかつレンズの左右両端部を結んで左右方向へ連続していることを特徴とする。
【０００６】
請求項２は上記請求項１において、前記レンズは上下、左右方向へそれぞれ前方へ凸に湾曲する曲面に形成され、その左右両端部は顔側面まで回り込み、目尻近傍のフレーム取付部及びこのフレーム取付部よりさらに延出して目尻後方における顔側面の窪んだ部分を覆う延長部が設けられ、前記中央帯の左右方向両端部を前記フレーム取付部及び延長部まで延長形成したことを特徴とする。
【０００７】
請求項３は上記請求項１において、前記レンズ中央に取付ける鼻当てパッドを前記中央帯より下方に位置させたことを特徴とする請求項１のサングラス。
【０００８】
請求項４は上記請求項２において、前記延長部は、前記フレーム取付部よりも左右方向へ延出して形成され、かつ前記フレーム取付部より下方に略三角形状の突出部を形成することを特徴とする。
【０００９】
請求項５は上記請求項４において、前記略三角形状の突出部が前記下部帯の一部をなすことを特徴とする。
【００１０】
【発明の効果】
請求項１によれば、上方の空等からの光は上部帯のミラーコートにより反射され、下方からの路面の照り返し等の光は下部帯のミラーコートにより反射される。また中央帯を中央で分断されることなく左右へ連続して設けたので中央側からの光の入射を防ぐことができるので、防眩性を高めることができる。そのうえ中央帯の透光率は上下方向中央部が最も高くなるように上下へグラデーション変化するので違和感がない視界になる。しかも中央帯は従来のように中央で分断されず左右に連続しているから、違和感がない良好な視界及び広い視野の確保が可能になる。
【００１１】
請求項２によれば、レンズが上下・左右方向に前方へ凸に湾曲形成され、かつ顔側面へ回り込む延長部を設けたので、レンズの周囲から広角度で入射する光を反射して防眩性を高めることができるとともに、広い湾曲面により違和感がない視界を確保できる。そのうえ中央帯をフレーム取付部及び延長部まで延長形成することにより広い視野を確保できる。
【００１２】
請求項３によれば、鼻当てパッドを中央帯の下方へ配置したので、鼻当てパッドが中央帯を左右分断することがなく、左右へ広範囲に連続する中央帯の形成を可能にするとともに、鼻当てパッドを鼻にかけることによって、サングラスの顔面上における安定した保持が可能になる。
【００１３】
請求項４によれば、フレーム取付部を目尻近傍に位置させたので、顔側面の窪み部分内へフレーム取付部が入るため、顔側面の輪郭からさらに側方へ突出せず、その結果、装着時に周囲と接触してサングラスが不意に外れるような事態を防げるとともに、サングラスの上からヘルメットを被っても、圧迫感や違和感がない。さらにフレーム取付部から左右へ延出する延長部を設け、そのうちのフレーム取付部より下方を略三角形状の突出部としたので、この部分が目尻後方における顔側面の窪み部分内へ重なるため、この窪み部分近傍に位置するほほ骨部との隙間を少なくでき、下方からの照り返しの光を遮断できる。
【００１４】
請求項５によれば、略三角形状の突出部まで下部帯とするので、側方及び斜め後方からの光を反射して防眩性を高めることができ、中央帯における良好な視界及び広い視野の確保に貢献できる。
【００１５】
【発明の実施の形態】
以下、図面に基づいて一実施例を説明する。図１は実施例に係るサングラスを斜め前方から示す斜視図、図２はそのレンズ部分を前方から示す正面図、図３は図２の３−３線断面図、図４は図２の４−４線断面図、図５は鼻当てパッドの図２における５−５線相当部断面図、図６はフレームを示す図である。
【００１６】
図１において、このサングラスは、レンズ１とフレーム２及び鼻当てパッド３を備える。レンズ１は、高剛性が得られるポリカーボネート樹脂等の適宜材料より左眼部４と右眼部５が連続一体的の一枚物として形成され、上縁部６は中央の眉間に相当する位置にて下方へ湾曲する上凹部７が形成され、左右方向外端部の上部には左右一対をなすフレーム２の各先端を取付けるためのフレーム取付部８が設けられる。
【００１７】
フレーム取付部８は後述する目尻の近傍に位置し、端部はさらに左右へ延長して顔側面へ回り込む延長部９をなし、その一部でフレーム取付部８の下方部が略三角形状の突出部１０をなしている。下縁部１１は中央部が上方へ湾曲する下凹部１２をなし、ここに鼻当てパッド３が取付けられている。レンズ１は、上下方向及び左右方向にてそれぞれ中央部が前方へ凸に湾曲する３次元曲面をなしている。
【００１８】
図２に示すように、レンズ１の表面は上下方向へ大略３つの帯域に区分され、そのうちの上下は上部帯１３と下部帯１４をなし、これらの間に中央帯１５が形成されている。上部帯１３と下部帯１４には公知のミラーコートが施されている（図中にハッチングで示す）。中央帯１５は上下方向中央部が最も透光率が高くなるように、上部帯１３及び下部帯１４からグラデーションがかけられている。
【００１９】
本実施例では中央帯１５の上下方向中央部はミラーコートの無い透明部をなし、その上下に上グラデーション部１６及び下グラデーション部１７（散点模様で示す）が形成され、上グラデーション部１６は上部帯１３へ向かって次第に透光率が低くなり、同様に下グラデーション部１７は下部帯１４に向かって次第に透光率が低くなるようにグラデーション変化する。
【００２０】
但し、中央帯１５は中央の透明部を設けず全体がミラーコートされるとともに、このミラーコートを中央部を最も透光率が高く、上部帯１３及び下部帯１４へ向かって次第に透光率が低くなるようにグラデーション変化させる構造にすることもできる。また、図では便宜的に各帯域の境界線を記載してあるが、実際は上グラデーション部１６及び下グラデーション部１７の存在により、このような明瞭な境界線は存在しない。
【００２１】
上部帯１３と中央帯１５はそれぞれ左眼部４及び右眼部５を横断して左右へ連続して形成されている。このうち上部帯１３は上縁部６及び上凹部７を含むレンズ１の上部にて左右のフレーム取付部８へ達するように形成される。
【００２２】
中央帯１５は装着者の眼１８と重なる位置に形成され、中央部は下凹部１２の上方を通るとともに、左右両端はフレーム取付部８及び延長部９のうち略三角形状の突出部１０より上部へ達している。下部帯１４は中央の下凹部１２より左右にほぼ分断されるが、左右方向の外端部は略三角形状の突出部１０まで達している。
【００２３】
図３に示すように、顔面中央の眉間１９と鼻２０にはそれぞれ上凹部７と下凹部１２が対応するようにされ、かつフレーム取付部８，延長部９及び略三角形状の突出部１０はこめかみ２１上に位置する。これらのフレーム取付部８，延長部９及び略三角形状の突出部１０は顔側面へ回り込んでいる。こめかみ２１は目尻２２と図示しない耳の間で、ほほ骨２３の上となる部分であり、かつ顔側面における窪んだ部分であり、目尻２２の後方に位置する。
【００２４】
フレーム取付部８はこめかみ２１の上部に位置して、こめかみ２１の凹部空間内へ収容されている。略三角形状の突出部１０はこめかみ２１上の略三角形をなす凹部空間内へ略相似形をなして収容され、その下縁部はほほ骨２３の上部へ近接し、こめかみ２１及びほほ骨２３との間の間隙を少なくしている。
【００２５】
なお、図３は説明の便宜上ミラーコートを誇張した膜厚で表現してある。このミラーコートは、公知の蒸着法等により形成したものであり、上グラデーション部１６及び下グラデーション部１７は中央帯１５の中央へ向かって次第に膜厚を薄くするようにグラデーション変化し、中央帯１５の中央はミラーコートの無い透明部になっている。なお、ミラーコートはこのような蒸着によらず、誘電体物質により反射率を変化させる等、他の公知方法を任意に採用できる。
【００２６】
図４に示すように、フレーム取付部８及び略三角形状の突出部１０は顔側面２４まで回り込んでいる。フレーム取付部８から後方へ延びるフレーム２の後述する固定部４０は、略三角形状の突出部１０よりも内側すなわち顔の中央側へ屈曲しており、その結果、フレーム２が顔側面２４の輪郭よりも側方へ突出しない。顔側面２４の輪郭のうち最も側方へ張り出している部分はほほ骨２３となる。
【００２７】
図５は、鼻当てパッド３の詳細構造を示す。鼻当てパッド３は、下凹部１２の縁部を嵌合する枠部３０と、この枠部３０へ一体に形成された取付脚３１へ嵌合するパッド部３２とからなる。
【００２８】
枠部３０は比較的剛性のある適宜合成樹脂等より正面から見て略逆Ｕ字形に形成され、その顔面側に取付脚３１が側面（図５で示す状態）で略倒立Ｌ字に形成され、顔面側へ略水平に突出する上部３３とその先端から下向きに屈曲して延びる上下部３４とからなり、上下部３４の下端が自由端になっている。
【００２９】
パッド部３２はシリコンゴム等肌触りの良好な適宜軟質材料からなる、正面から見て大略逆Ｕ字形をなす部材であり、上下部３４と略平行に上下方向へ延びる一対の上下部３５にそれぞれ形成された上下方向の穴３６へ上下部３４を嵌合することにより、枠部３０へ着脱自在に取付けられる。
【００３０】
一対の上下部３５を連結する上部３７は断面略円形であり、各上下部３５の上端部が顔面方向へ曲がることにより、最も顔面近くでかつ上部３３より上方に位置し、上部３７と一対の上下部３５間に鼻２０を入れることにより、鼻２０上にサングラスの中央部を支持させるようになっている。
【００３１】
図１に示すように、フレーム２はサングラスを耳へ掛けるためのつる部分に相当する部分のみからなり、レンズの周囲を保持する枠部を有しない。このフレーム２は、フレーム取付部８へ取付けられる固定部４０と、これに対して連結される可動部４１とを備え、可動部４１の後端部は、ウレタンゴム等の肌当りの良好な耳掛け部４２となっている。固定部４０及び耳掛け部４２を除く可動部４１は、ステンレス製のワイヤータイプであってヘルメットの下に装着するとき邪魔にならないようになっている。
【００３２】
図６は固定部４０と可動部４１との連結構造を示し、図中のａは連結部より前方部を左右方向から示した図、ｂは連結部のみを上方から示した図である。側方固定部４０は一端を略Ｕ字状に曲げてネジ４３によりフレーム取付部８へ取付け、他端は中間部４４で屈曲して、後端側を顔の中央側へ曲げ、その先端を略四辺形状のループ部４５とし、その一部である上下部４６に可動部４１の先端に形成したコイルスプリング状のコイル部４７を巻き付け、これにより可動部４１を上下部４６の軸線まわりに回動自在をなすようにヒンジ結合するとともに、コイル部４７によりバネ性を与えている。
【００３３】
なお、上下部４６の上端部は略直角に折り曲げられてコイル部４７の抜け止めとなっている。また、可動部４１のうち、ループ部４５と重なる部分は段部４８をなし、ループ部４５との干渉を避けている。さらに固定部４０を中間部４４で曲げることにより、固定部４０のループ部４５をこめかみ２１側へ向けて可動部４１をこめかみ２１の近くへ前後に通すようになっている。
【００３４】
次に、本実施例の作用を説明する。本実施例に係るサングラスは、図３に矢印で示すように、上方の空等からの光は上部帯１３のミラーコートにより反射され、下方からの路面の照り返し等の光は下部帯１４のミラーコートにより反射される。また中央帯１５は透光率が高いので、この部分からは光が透過して良好な視界を確保する。
【００３５】
このとき、中央帯１５は中央で分断されることなく左右へ連続して設けたので、中央側の分断部がある場合にこの部分から入射する可能性のある光を防いで防眩性を高めることができる。そのうえ中央帯１５の透光率は上下方向中央部が最も高くなるように上グラデーション部１６及び下グラデーション部１７を介して上下へグラデーション変化するので違和感がない視界になる。しかも中央帯１５は従来のように中央で分断されず左右に連続しているから、違和感がない良好な視界及び広い視野の確保が可能になる。
【００３６】
また、レンズ１が上下・左右方向に前方へ凸に湾曲形成され、かつ顔側面２４へ回り込む延長部９及びその一部である略三角形状の突出部１０を設けたので、レンズ１の周囲から広角度で入射する光を反射して防眩性を高めることができるとともに、広い湾曲面により違和感がない視界を確保できる。そのうえ中央帯１５をフレーム取付部８及び延長部９のうち略三角形状の突出部１０より上部まで延長形成することにより広い視野を確保できる。
【００３７】
さらに、鼻当てパッド３を中央帯１５の下方へ配置したので、鼻当てパッド３が中央帯１５を左右分断することがなく、左右へ広範囲に連続する中央帯１５の形成を可能にするとともに、鼻当てパッド３を鼻２０にかけることによって、サングラスの顔面上における安定した保持が可能になる。
【００３８】
また、フレーム取付部８を目尻２２近傍に位置させたので、顔側面２４の窪み部分内へフレーム取付部８が入り、顔側面２４の輪郭からさらに側方へ突出しなくなり、その結果、装着時に周囲と接触してサングラスが不意に外れるような事態を防げるとともに、サングラスの上からヘルメットを被っても、圧迫感や違和感がない。
【００３９】
さらに、フレーム取付部８から左右へ延出する延長部として、フレーム取付部８より下方に略三角形状の突出部１０を設けたので、この部分が目尻２２の後方における顔側面２４の窪み部分であるこめかみ２１内へ重なるため、こめかみ２１の近傍に位置するほほ骨部２３との隙間を少なくでき、下方からの照り返しの光を遮断できる。
【００４０】
そのうえ、略三角形状の突出部１０まで下部帯１４の一部とすることにより、側方及び斜め後方からの光を反射して防眩性を高めることができ、中央帯１５における良好な視界及び広い視野の確保に貢献できる。
【図面の簡単な説明】
【図１】実施例に係るサングラスを斜め前方から示す斜視図
【図２】サングラスを前方から示す正面図
【図３】図２の３−３線断面図
【図４】図２の４−４線断面図
【図５】鼻当てパッドの断面図
【図６】フレームを示す図
【符号の説明】
１：レンズ、２：フレーム、３：鼻当てパッド、８：フレーム取付部、９：延長部、１０：略三角形状の突出部、１３：上部帯、１４：下部帯、１５：中央帯、１８：眼、２０：鼻、２１：こめかみ、２２：目尻、２３：ほほ骨、２４：顔側面
【図１】
2004053926.tif 000003
【図２】
2004053926.tif 000004
【図３】
2004053926.tif 000005
【図４】
2004053926.tif 000006
【図５】
2004053926.tif 000007
【図６】
2004053926.tif 000008